(57)【要約】  本発明は、金属カバーシェル４，５を有するケーブルコネクタ２と、少なくとも１つの金属カバーシェル４，５と電気的に接続した遮蔽ブレード３１を有するケーブル３と、を備えているケーブルコネクタ組立体１に関する。遮蔽ブレード３１の一部は、ケーブルコネクタ２のクランプ部で支持部材３１と少なくとも１つの金属カバーシェル４，５との間に遮蔽ブレード３１の一部をクランプするために、ケーブル３に設けられた支持部材３３の外周に折り返されている。従って、改善された機械的遮蔽特性及び電磁的遮蔽特性を有するケーブルコネクタ組立体１を実現することができる。支持部材３３は、ケーブル被覆に圧着され、多数の部品を備えている場合がある。本発明は、さらにケーブルコネクタ２及びケーブル３をケーブルコネクタ２に組み付ける方法にも関する。
2008507104.tif 000002
【特許請求の範囲】
【請求項１】
金属カバーシェル（４，５）を有するケーブルコネクタ（２）と、少なくとも１つの該金属カバーシェル（４，５）と電気的に接続している遮蔽ブレード（３１）を有するケーブル（３）と、を備えているケーブルコネクタ組立体（１）であって、
前記遮蔽ブレード（３１）の一部が、前記ケーブルコネクタ（２）のクランプ位置で支持部材（３３）と少なくとも１つの前記金属カバーシェル（４，５）との間に前記遮蔽ブレード（３１）の一部をクランプするために前記ケーブル（３）に設けられた前記支持部材（３３）に折り返されていることを特徴とするケーブルコネクタ組立体。
【請求項２】
前記ケーブル（３）は、前記遮蔽ブレード（３１）を有するケーブル被覆（３０）をさらに備え、
前記遮蔽ブレード（３１）の一部は、前記ケーブル被覆（３０）の一部に折り返され、
前記支持部材（３３）が、前記ケーブル被覆の一部と前記遮蔽ブレード（３１）の折り返された部分との間に配置されていることを特徴とする請求項１に記載のケーブルコネクタ組立体（１）。
【請求項３】
前記支持部材（３３）が、前記遮蔽ブレード（３１）の外周に配置され、
前記遮蔽ブレード（３１）の一部が、前記支持部材（３３）の外周に配置されていることを特徴とする請求項１に記載のケーブルコネクタ組立体（１）。
【請求項４】
前記支持部材（３３）は、前記遮蔽ブレード（３１）をクランプするために前記金属カバーシェル（４，５）を取り付ける前に、前記ケーブル（３）の軸方向（Ａ）に滑動可能なように取り付けられた状態であることを特徴とする請求項１〜３のいずれか一項に記載のケーブルコネクタ組立体（１）。
【請求項５】
前記金属カバーシェル（４，５）が、前記クランプ部のために挿入された１つ以上のクランプ要素を収容するように適合されていることを特徴とする請求項１〜４のうち１つ以上の請求項に記載のケーブルコネクタ組立体（１）。
【請求項６】
前記クランプ部が、第１の金属カバーシェル（４）に形成された第１のクランプ要素（８）及び第２の金属カバーシェル（５）に形成された第２のクランプ要素（９）によって形成され、
前記第１のクランプ要素（８）及び前記第２のクランプ要素（９）が、前記第１のクランプ要素（８）の第１の表面（１８）、前記第１のクランプ要素（８）の第２の表面、及び前記第２のクランプ要素（９）の第２の表面の間にある間隙（Ｇ）を無くすように配置されていることを特徴とする請求項１〜５のうち１つ以上の請求項に記載のケーブルコネクタ組立体（１）。
【請求項７】
前記ケーブルコネクタ（２）が、前記ケーブル（３）のためのケーブル入口部（７）と、該ケーブル入口部（７）近傍に閉構造体（１６Ａ，１６Ｂ）を備えていることを特徴とする請求項１〜６のうち１つ以上の請求項に記載のケーブルコネクタ組立体（１）。
【請求項８】
前記ケーブルコネクタ（２）が、前記ケーブル（３）のための締まりリブ（１４，１７）を備えていることを特徴とする請求項１〜７のうち１つ以上の請求項に記載のケーブルコネクタ組立体（１）。
【請求項９】
前記支持部材（３３）は、前記ケーブル（３）から離間するように延在しているフランジ部（３４）を備え、
前記ケーブルコネクタ（２）は、前記フランジ部（３４）と協働するように適合されている受容構造体（１５）を備えていることを特徴とする請求項１〜８のうち１つ以上の請求項に記載のケーブルコネクタ組立体（１）。
【請求項１０】
前記フランジ部（３４）が非円状であることを特徴とする請求項９に記載のケーブルコネクタ組立体（１）。
【請求項１１】
前記フランジ部（３４）が前記支持部材（３３）を部分的にのみ囲んでいることを特徴とする請求項９に記載のケーブルコネクタ組立体。
【請求項１２】
前記金属カバーシェル（４，５）は、前記第１のクランプ部材（８）及び前記第２のクランプ部材（９）を収容するように適合され、
前記第１のクランプ部材（８）及び前記第２のクランプ部材（９）が、前記受容構造体（１５）を備えていることを特徴とする請求項９に記載のケーブルコネクタ組立体（１）。
【請求項１３】
前記支持部材（３３）が、少なくとも２つの部品（３３Ａ）を備えていることを特徴とする請求項１に記載のケーブルコネクタ組立体（１）。
【請求項１４】
前記ケーブルコネクタ（２）が、内部構造体（１７，６０）を有するケーブル入口部（７）を備え、
前記内部構造体（１７，６０）が、前記支持部材部品（３３Ａ）の対応する構造体（７２，７４）と協働するように適合されていることを特徴とする請求項１３に記載のケーブルコネクタ組立体（１）。
【請求項１５】
前記支持部材（３３，３３Ａ）の外面（７３）及び前記ケーブルコネクタ（２）の内面が、前記折り返された遮蔽ブレード（３１）の一部のためのスロット（８０）を決定し、
前記スロットは、前記遮蔽ブレード（３１）の一部を変形させる構造を有していることを特徴とする請求項１に記載のケーブルコネクタ組立体（１）。
【請求項１６】
金属カバーシェル（４，５）と、前記ケーブル（３）の遮蔽ブレード部（３１）をクランプするように適合された前記金属カバーシェル（４，５）内に収容挿入された少なくとも１つのクランプ部材（８，９）とを備えていることを特徴とするケーブルコネクタ（２）。
【請求項１７】
前記挿入されたクランプ部材（８，９）は、前記ケーブル（３）のための支持部材（３３）のフランジ部（３４）と協働するように適合された構造体（１５）をさらに備えていることを特徴とする請求項１６に記載のケーブルコネクタ（２）。
【請求項１８】
金属カバーシェル（４，５）及びワイヤ端子部材（１３）を備えたケーブルコネクタ（２）に、遮蔽ブレード（３１）及び１本以上のケーブルワイヤ（３２）を備えたケーブル（３）を組み付けるための方法であって、
前記遮蔽ブレード（３１）の一部を露出し、前記ケーブル（３）に支持部材（３３）を設けるステップと、
前記遮蔽ブレード（３１）の一部を前記支持部材（３３）の外周に折り返すステップと、
前記ケーブルワイヤ（３２）を前記ワイヤ端子部材（１３）に接続するステップと、
前記遮蔽ブレード（３１）が前記ケーブルコネクタ（２）のクランプ部で前記金属カバーシェル（４，５）と前記支持部材（３３）との間にクランプされるように、前記金属カバーシェル（４，５）を閉じるステップと、
を備えていることを特徴とする方法。
【請求項１９】
前記ケーブル（３）が、ケーブル被覆（３０）を備え、
前記方法が、前記支持部材（３３）を前記ケーブル被覆（３０）の外周に配置するステップをさらに備えていることを特徴とする請求項１８に記載の方法。
【請求項２０】
前記方法は、前記支持部材（３３）を前記遮蔽ブレード（３１）の外周に配置するステップをさらに備えていることを特徴とする請求項１８に記載の方法。
【請求項２１】
前記支持部材（３３）が、前記金属カバーシェル（４，５）を閉じる前に、前記ケーブル（３）の軸方向（Ａ）において滑動可能な状態にされていることを特徴とする請求項１８〜２０のうちいずれか一項に記載の方法。
【請求項２２】
前記支持部材（３３）が、フランジ部（３４）をさらに備え、
前記方法が、前記折り返された遮蔽ブレード（３１）の一部を前記フランジ部（３４）まで所定長さにカットするステップをさらに備えていることを特徴とする請求項１８〜２１のうちいずれか一項に記載の方法。
【請求項２３】
前記支持部材（３３）が、少なくとも２つの部品（３３Ａ）を備え、
前記方法が、前記部品（３３Ａ）を前記ケーブル被覆（３０）上に配置する前に、前記ケーブルワイヤ（３２）を前記端子ブロックハウジング（１３）に接続するステップを備えていることを特徴とする請求項１８に記載の方法。
【発明の詳細な説明】
【技術分野】
【０００１】
本発明は、金属カバーシェルを有するケーブルコネクタと、少なくとも１つの該金属カバーシェルと電気的に接続する遮蔽ブレードを備えたケーブルと、を備えたケーブルコネクタ組立体に関する。
【背景技術】
【０００２】
特許文献１は、ケーブルコネクタ及びケーブルを備えたケーブルコネクタ組立体を開示している。ケーブルは、ケーブル被覆と、該ケーブル被覆の外周に折り返され、ケーブルコネクタのカバーシェルによってクランプされた遮蔽ブレードを有している。このコネクタ組立体は、ケーブルを変更しケーブルコネクタに組み込んだ後であっても、カバーシェルを取り外すことによって容易に組立及び分解可能とされる。
【特許文献１】米国特許第５，５１１，９９３号明細書
【発明の開示】
【発明が解決しようとする課題】
【０００３】
このようなケーブルコネクタの欠点は、歪み開放特性及び電磁的遮蔽性能が乏しいことである。本発明の目的は、ケーブルコネクタの機械的遮蔽性能及び電磁的遮蔽性能を改善することにある。
【０００４】
本発明の目的は、前記遮蔽ブレードの一部が、前記ケーブルコネクタのクランプ部内で前記支持部材と少なくとも１つの金属カバーシェルとの間に前記遮蔽ブレードの一部をクランプするために前記ケーブルに設けられた支持部材の外周に折り返されていることを特徴とするケーブルコネクタ組立体を提供することによって達成される。
【０００５】
結論として、金属カバーシェルを互いに取り付け、クランプセクションで遮蔽ブレードをクランプした場合に、遮蔽ブレードの折り返し部分は、ケーブルの側部に堅固な支持部を有している。すなわち、クランプされた遮蔽ブレードはケーブル内に貫通されている。従って、本発明におけるケーブルコネクタ組立体は性能的に改善されている。歪み解放特性（strain relief）は、クランプされた遮蔽ブレードがこの構成によってケーブルコネクタから抜けることを防止した場合に改善される。取り外すために過度の力が遮蔽ブレードに作用した後に限り、遮蔽ブレードが破損する可能性がある。電磁的遮蔽性能は、遮蔽ブレードと金属カバーシェルとが十分に電気的に接続される可能性が高まるにつれて改善される。
【０００６】
前記金属カバーシェルと前記支持部材とをクランプすることは、折り返された遮蔽ブレードと金属カバーシェル及び／又は支持部材との物理的な接触を必ずしも含んでいる訳ではない。中間構成部品又は中間層が存在し、導電性を有することが望ましい。一例として、独立して挿入された導電性クランプ部材は、以下においてさらに説明するように、折り返された遮蔽ブレードと金属カバーシェルとの間に存在する。
【０００７】
ケーブルのための支持部材を備えた少なくとも２つの有意な実施例が存在することにさらに留意すべきである。第１の配置では、支持部材が、遮蔽ブレードの折り返し部分とケーブル被覆との間に挟まれるように、ケーブルのケーブル被覆上に配置されている。第２の配置では、支持部材は、遮蔽ブレードの折り返し部分と該遮蔽ブレード自体との間に挟まれるように、該遮蔽ブレード上に配置されている。第２の配置では、ケーブルコネクタ組立体のさらなる小型化が達成される。ケーブルが支持部材と遮蔽ブレードの折り返し部分との間に存在する付加的なレイヤーを有していることに留意すべきである。
【課題を解決するための手段】
【０００８】
本発明の好ましい実施例では、支持部材は、前記遮蔽ブレードをクランプするために前記金属カバーシェルを取り付ける前には、前記ケーブルの軸方向に滑動可能に取り付けられた状態で前記軸方向に向いている。本発明の属する技術分野では、支持部材は、一般にケーブルに圧着されている。従って、１本以上のケーブルワイヤが切り揃えられる長さ又は組立体が不適切である場合には、ケーブル全体が切られ、すべてのワイヤ端子を作り直さなくてはならない。ケーブル被覆に圧着されず、滑動可能な支持部材を有することによって、遊びを利用して、ケーブルコネクタ内にケーブルを組み付け、又は再度組み付けをすることができる。カバーシェルを取り外し、圧着されていない支持部材をケーブルの軸方向に滑動させる際に、この遊びによってすべてのワイヤ端子を作り直す必要が無くなる。さらには、圧着作業が無くなることによって、ケーブルをケーブルコネクタに組み付ける組立時間を短縮することができる。
【０００９】
本発明の一実施例では、金属カバーシェルは前記クランプ部に挿入された１つ以上のクランプ要素を備えるか、収容するように適合されている。これらの挿入されたクランプ要素によって、本発明は、金属カバーシェルのような既存の認可された構成部品に適用されるか、又は該構成部品と組合せることができる。クランプ要素は容易に製造可能である。異なる大きさのケーブルがケーブルコネクタに終端された場合には、挿入されたクランプ要素のみが新しいケーブルに適用とされる場合がある。
【００１０】
本発明の一実施例では、クランプ部は、第１の金属カバーシェルに形成された第１のクランプ要素及び第２の金属カバーシェルに形成された第２のクランプ要素によって形成される。そして、第１のクランプ要素及び第２のクランプ要素は、第１の金属カバーシェル及び第２の金属カバーシェルが閉じられた場合に、前記第１のクランプ要素の第１の表面と前記第２のクランプ要素の第２の表面との間の間隙が無くなるように配置されている。クランプ要素間の間隙は、金属カバーシェルを取り付けた際に緩んだ遮蔽ブレードのワイヤのための空間を備え、これにより、これらの緩んだワイヤが、ケーブルコネクタを完成させるために金属カバーシェル同士を機械的に取り付けることに対する障害となることを防止する。
【００１１】
本発明の一実施例では、ケーブルコネクタは、前記ケーブルのためのケーブル入口部、及び該ケーブル入口部近傍に閉構造体を備えている。この閉構造体又はラビリンスは、ケーブル入口部近傍の光路を閉鎖して、さらにケーブルコネクタの電磁的遮蔽性能を高める。この閉構造体は、クランプ要素が該要素間に間隙を有している場合に特に望ましい。
【００１２】
本発明の一実施例では、ケーブルコネクタは、前記遮蔽ブレードのために締まりリブを備えている。これらの締まりリブは、ケーブルコネクタのクランプ部に存在し、ケーブルコネクタ組立体の電磁的遮蔽性能を向上させるために遮蔽ブレードと協働するように適合されている。さらに、ケーブルコネクタは、ケーブルコネクタ組立体の機械的性能を向上させるためにケーブル入口部内でケーブル被覆と協働するように適合されている。
【００１３】
本発明の一実施例では、支持部材はフランジ部を備えている。そして、ケーブルコネクタは、前記フランジ部と協働するように適合された受容構造体を備えている。従って、支持部材はケーブルコネクタ内に容易に位置決め可能とされるので、ケーブルコネクタを容易に組み立てることができる。フランジ部は、ケーブルコネクタの個々の部品を組み合わせてケーブルコネクタ組立体を完成させる方法を操作者に明解に案内するように適合されている。さらに、フランジ部及びケーブルコネクタの対応する受容構造体は、ケーブルコネクタ組立体の歪み開放特性に貢献する。フランジ部が非円状である場合には、金属カバーシェルが閉じられた場合と同様に、ケーブルコネクタ組立体は捩れ開放特性（twist relief）を得ることができる。さらに、フランジ部は電磁的遮蔽性能に貢献することもできる。
【００１４】
支持部材のフランジ及びケーブルコネクタの対応する受容構造体が任意の適合可能な形状とされることに留意すべきである。本発明の一実施例では、フランジ部が支持部材周囲の一部のみに設けられている。電磁的遮蔽性能にとっては、最適な状況は全周的なフランジを有していることであるが、フランジは支持部材の温度効果を原因とする形状的変化を妨げる。ケーブルコネクタ組立体は常に温度が著しく変化する環境にあるので、ケーブルコネクタの構成部品の大きさは温度変化に従って変化する。支持部材の部分的なフランジによって、遮蔽ブレードがクランプ部に確実にクランプされているように、支持部材は、温度変化の結果である金属カバーシェル又はクランプ要素の形状的変化に対してさらに適応可能になる。
【００１５】
本発明の好ましい実施例では、支持部材は、少なくとも２つの部品を備えている。多数の部品から構成される支持部材は、ケーブル上に支持部材を配置し金属カバーシェル内にケーブルを取り付ける前に、最初にケーブルのワイヤを端子ブロックハウジングに接続することができる。従って、より大きな空間がワイヤ接続のために利用可能となり、これによりケーブルコネクタの組立を容易に実施することができる。ケーブルコネクタ、例えばケーブル入口部が、前記支持部材部品の対応する構造体と協働するように適合された内部構造体を有し、これにより本発明のケーブルコネクタ組立体の機械的性能を高めることができることが望ましい。
【００１６】
上記実施例又は態様の組み合わせも実施可能であることに留意すべきである。
【００１７】
本発明は、前記ケーブルの遮蔽ブレード部をクランプするように適合された金属カバーシェル内部に挿入収納されたクランプ要素を有する前記金属カバーシェルを備えたケーブルコネクタにさらに関する。これらの挿入されたクランプ要素によって、本発明は既存の認可された構成部品（例えば金属カバーシェル）、又はこれらの組み合わせに適用可能となる。クランプ要素は容易に製造可能である。異なる大きさのケーブルがケーブルコネクタに終端されている場合には、挿入されたクランプ要素は新しいケーブルに適応される場合がある。クランプ要素は、ケーブルコネクタ組立体について上述した１つ以上の機能を発揮するように適合又は配置されていることが望ましい。
【００１８】
本発明は、金属カバーシェル及びワイヤ端子部材を備えたケーブルコネクタに、遮蔽ブレード及び１本以上のケーブルワイヤを備えたケーブルを組み付けるための方法であって、前記遮蔽ブレードの一部を露出させ、前記ケーブルに支持部材を設けるステップと、前記遮蔽ブレードの前記一部を前記支持部材の外周に折り返すステップと、前記ケーブルワイヤを前記ワイヤ端子部材に接続するステップと、前記遮蔽ブレードが前記ケーブルコネクタのクランプ部で前記金属カバーシェルと前記支持部材との間に、又はこれらによってクランプされるように前記金属カバーシェルを閉じるステップとを備えている前記方法にさらに関する。
【００１９】
この方法によって、改善された機械的特性及び電磁的遮蔽特性を備えたケーブルコネクタ組立体を得ることができる。
【００２０】
本発明の一実施例では、前記金属カバーシェルを閉じる前には、支持部材は前記ケーブルの軸方向において滑動可能な状態とされる。このようにして得られたケーブルコネクタ組立体は、上記説明のように改善された組立特性を有している。
【００２１】
本発明の特に有利な実施例では、支持部材は少なくとも２つの部品を備えている。そして、前記方法は、前記部品を前記ケーブル被覆上に配置する前に前記端子ブロックハウジングに前記ワイヤを接続するステップを備えている。支持部材の複数部品の構成による性質がこの組立手順を可能とし、操作者はケーブルコネクタにケーブルワイヤを終端するためにより大きな空間を利用可能となる。
【００２２】
本発明は、本発明の好ましい実施例を概略的に表わした添付図面を参照してさらに説明されている。本発明は、これらの特別な好ましい実施例には制限されないことに留意すべきである。
【発明を実施するための最良の形態】
【００２３】
図１Ａは、ケーブルコネクタ２及びケーブル３を備えたケーブルコネクタ組立体１を表わしている。図１Ｂは、図１の線ＩＢ−ＩＢ断面を反転させた状態におけるケーブルコネクタ２を表わしている。ケーブルコネクタ２は、ネジ６で互いに取り付けられた第１の金属カバーシェル４及び第２の金属カバーシェル５を有している。金属カバーシェル４，５は、合金材料から成る場合がある。ケーブルコネクタ２は、ケーブル３のためのケーブル入口部７を形成している。さらには、第１のクランプ要素８及び第２のクランプ要素９が、第１の金属カバーシールド４及び第２の金属カバーシールド５のそれぞれに形成されている。このことは、図１Ａ及び図１Ｂに部分的に表わされている。第１のクランプ要素８及び第２のクランプ要素９は、特にケーブルコネクタ２のクランプ部を形成している。クランプ要素８，９は、金属カバーシェル４，５に固定された接触バネによって金属カバーシェル４，５に固定されている。しかしながら、この金属カバーシェル４，５をダイカスト鋳造する、すなわちクランプ要素８，９が金属カバーシェル４，５の一部を一体的に形成する際には、第１のクランプ要素８及び第２のクランプ要素９がこれらカバーシェルに内蔵されている場合がある。クランプ要素８，９は導電性要素である。
【００２４】
図１Ａに破線で示される間隙Ｇは、以下の説明するように、ケーブルコネクタ２の少なくともクランプ部で第１のクランプ要素８と第２のクランプ要素９とを分断している。間隙Ｇは、図１Ｂに示す断面ＩＢ−ＩＢにより良く表わされている。
【００２５】
ケーブルコネクタ２は、ケーブルコネクタ２を対応相手部材に接続させ、該対応相手部材と電気的に接続し確実な電磁的遮蔽を実現するために、複数の保持バネ１０を有している。
【００２６】
図２Ａ及び図２Ｂは、第２の金属カバーシェル５を有していないケーブルコネクタ２を表わしている。第１の金属カバーシェル４及び第２の金属カバーシェル５は、一般に金属カバーシェル４，５の取付及びケーブル３のクランプを可能とする略相補的な構造を有していることは言うまでもない。
【００２７】
第１の金属カバーシェル４は、ネジ６を収容するための開口部１２を有する境界面１１を備えている。境界面１１は、ケーブルコネクタ組立体１が図１Ａ及び図１Ｂも表わすように完成した場合に、第２の金属カバーシェル５の対応する表面（図示しない）に当接する。さらに、第１の金属カバーシェル４は、ケーブル３のワイヤを終端するために端子部材又は端子ブロックハウジング１３を収容する部分を有している。このような端子ブロックハウジング１３は、本発明の属する技術分野では一般に知られているので、本明細書ではこれ以上説明しない。
【００２８】
第１の金属カバーシェル４は、挿入された第１のクランプ要素８を収容する内部構造体を有している。クランプ要素８は、上述のように独立した導電性を有する構成部品又はカバーシェル４の一体部分であり、締まりリブ１４（interference rib）を有した半円状の凹所を備えている。クランプ要素８は、受容構造体の一部又はスロット１５、閉構造体の一部又はラビリンス１６Ａ，１６Ｂ、及びケーブル入口部７の半分７Ａをさらに備えている。相補的なクランプ要素９は、ケーブルコネクタ２のクランプ部を完成させるために、同一構造体、すなわち受容構造体又はスロット１５、閉構造体又はラビリンス１６Ａ，１６Ｂ、及びケーブル入口部７の半分７Ａを有している。ケーブル入口部７は、ケーブル３のケーブル被覆と協働する締まりリブ１７を備えている。すなわち、ケーブル３が引張られた場合に該ケーブル被覆は締まりリブ１７間に食い込み（dig）、これにより前記ケーブル被覆がケーブル３を折り曲げた際に前記ケーブルコネクタから外れる（popping out）ことを防止する。
【００２９】
第１のクランプ要素８は、第１の金属カバーシェル４の境界面１１の下に位置する第１の表面１８をさらに有している。この第１の表面１８は、図１Ａの下方の破線及び図１Ｂで間隙Ｇを示す上方の実線によって示されている。第２の金属カバーシェル５のための対応する相補的な位置にある第２のクランプ要素９は、第１のクランプ要素８の第１の表面１８と第２のクランプ要素９の対応する表面（図１Ａの上方の破線及び図１Ｂの間隙Ｇを示す下方の実線によって示される）との間に、図１Ａ及び図１Ｂに示された間隙Ｇを形成する。間隙Ｇ（例えば、計測値０．１４ｍｍ）は、金属カバーシェル４，５を取り付ける際に緩んだ遮蔽ブレードのワイヤのための空間を形成し、これにより、境界面１１同士が結合するまでこの緩んだワイヤが金属カバーシェル４，５の取付を機械的に干渉することを防止し、ケーブルコネクタ１を完成させる。
【００３０】
閉構造体又はラビリンスは、任意にケーブルコネクタ２の裏面のケーブル入口部７近傍でクランプ部の間隙Ｇを閉じ、ケーブルコネクタ組立体１のために電磁的遮蔽性能を維持するために設けられている。当該実施例では、クランプ要素８，９のラビリンス１６Ａ，１６Ｂの一部は、ケーブル入口部７の一側でラビリンス１６Ａが第１の表面１８を越えて延在する一方で、ケーブル入口部７の他側でラビリンス１６Ｂがクランプ要素８の第１の表面１８の下にあるように位置している。代替的には、各金属カバーシェル４，５は、クランプ要素８，９のラビリンス１６Ａ，１６Ｂの代わりに、ケーブル入口部７のための開口部を備えた遮蔽プレート（図示しない）を有している場合がある。付加的なラビリンスは金属カバーシェル４，５の側壁と協働する構造体１９によって形成されることに留意すべきである。前記実施例では、クランプ部は、一体化された要素の代わりに独立したクランプ要素８，９から形成される。これらの構造体１９は、同様にクランプ要素８，９を位置決めするために利用される。
【００３１】
図３Ａ及び図３Ｂは、ケーブル被覆３０、遮蔽ブレード３１、及び１本以上のワイヤを有するコア３２（ワイヤは１本のみ図示する）を備えたケーブル３を表わしている。本発明におけるケーブルコネクタ組立体１は、マルチ同軸ケーブル、シールド撚り対線やシールド平行線（shielded untwisted pair）のような様々なタイプのケーブルについて利用することができる。
【００３２】
ケーブル３は、一般にフェルールと呼ばれる支持部材３３を備えている。このフェルール３３はケーブル被覆３０の外周に設けられ、その後に遮蔽ブレード３１がケーブル被覆３０の外周に折り返されている。本発明の一の実施例では、フェルール３３が圧着されていないフェルール３３である、すなわち、フェルール３３はケーブル３に滑動可能に取り付けられていることが必要不可欠である。これによって、フェルール３３がケーブル３の軸方向Ａにおいて移動可能とされる。さらに外側のフェルールは不要となる。
【００３３】
図３Ｃに表わすように、フェルール３３はフランジ３４を有している場合がある。図３Ｃでは、フランジ３４はフェルール３３の外周を囲んでいる。このことは、電磁的遮蔽性能、歪み解放性能、及び捩れ解放性能において有利である。しかしながら、代替的には、フランジ３４はフェルール３３の外周の一部、好ましくは限定された一部に沿って設けられている。図３Ｄは、このような部分的なフランジ３４Ａを概略的に表わしている。部分的なフランジ３４Ａは、遮蔽ブレードの一部がケーブルコネクタ２のクランプ部でクランプされるように、例えば温度変化を原因とするケーブルコネクタ２の他の構成部品の形状的変化にフェルール３３を追従させることについて有利である。
【００３４】
フェルール３３は金属から成ることが望ましい。
【００３５】
図３Ｅ〜図３Ｇは、ケーブル３のための支持部材３３を設ける代替的な方法を示している。ここで、図３Ｄの部分的なフランジ３４Ａを有する支持部材３３は、ケーブル３上に配置されている。フランジを有しない支持部材３３（図３Ａ及び図３Ｂに表わす）を、完全なフランジを有する支持部材（図３Ｃに表わす）と同様に、この代替的な方法でケーブル３上に配置することができる。
【００３６】
フェルール３３は、ケーブル３の遮蔽ブレード３１上でフェルール３３がケーブル被覆３０に当接する位置に配置されている。その後、該遮蔽ブレードはフェルール３３に折り返され、図３Ｇに示すように、フェルールが遮蔽ブレード３１の折り返し部分と遮蔽ブレード３１との間に挟まれる。当該配置は、図３Ａ及び図３Ｂに示す配置と比較して、より小型の組立体を実現することができる。ケーブル３は、例えばフェレール３３と遮蔽ブレード３１自体の折り返し部分との間に存在する付加的なレイヤーを有している場合があることに留意すべきである。
【００３７】
ケーブル３のすべての実施例について、遮蔽ブレード３１は、フェレール３３の全外周でフェレール３３を覆うように折り返されていることが望ましい。ケーブル被覆３０は一般に電磁放射を漏損させるので、折り返された遮蔽ブレード３１がフェレール３３の全外周に設けられることによって、この漏損をなくすことができる。図３Ｅ〜図３Ｇに示すように、フェレール３３が遮蔽ブレード３１上に配置されている構成についても同様のことが当てはまる。完全なフランジ３４は、ケーブル被覆３０による電磁放射漏損を無くすことができる。
【００３８】
図４及び図５は、図１Ａ及び図１Ｂのケーブルコネクタ組立体１を組み立てる際の２つの段階を表わしている。
【００３９】
図４では、ケーブル３は図３Ａ〜図３Ｃに関連して説明したように設けられている。すなわち、遮蔽ブレード３１の一部が露出し、ケーブル被覆３０上で圧着されていないフェルール３３の外周に折り返されている。遮蔽シールド３１は、フランジ３４までに整えられている場合がある。
【００４０】
フランジ部３４は、スロット１５内に位置決めされている。フランジ部３４は、フランジ３４が、ケーブルコネクタ組立体１に捩れ解放特性を付与するように非円状である。さらに、ラビリンス１６Ａ，１６Ｂ及びフランジ３４は、ケーブルコネクタ２の後端に閉じた光路を備え、これにより電磁的遮蔽性能を高めることができる。その後、ケーブルワイヤ３２（図では１本のみを表わす）は、ワイヤ端子部材１３に接続されている。
【００４１】
図５は、図４に示すケーブルコネクタ組立体の上部に位置する第２のクランプ要素９を表わす。その後、第２の金属カバーシェル５がネジ６を用いて第１の金属カバーシェルに取り付けられた場合には、第１のクランプ要素８及び第２のクランプ要素９が共に押されて、図１Ａ及び図１Ｂに示される間隙Ｇが生じる。作業中に、遮蔽ブレード３１はアンビルの機能を有する支持部材３３に押されている。この状態では、圧着されていない支持部材３３は滑動することができない。最後に、すなわち図１に表わすようにケーブルコネクタ組立体が完成した場合に、遮蔽ブレード３１の大部分が、金属カバーシェル４，５と支持部材３３との間に堅固にクランプされている。このように形成されたクランプ部の締まりリブ１４によって、この堅固さが高められる。遮蔽ブレード３１の幾本かの緩んだワイヤは、第１のクランプ要素８と第２のクランプ要素９との間に存在するが、カバーシェル４，５が互いに取り付けられることを防止するものではない。すなわち、カバーシェル４の境界面１１及びこれに対応するカバーシェル５の境界面が当接している。
【００４２】
ケーブルワイヤ３２を所定長さに変更した場合には、ケーブルコネクタ組立体１は、金属カバーシェル４，５を取り外し、滑動可能な支持部材３３を移動させることによって容易に組立及び分解をすることができる。
【００４３】
図６Ａ及び図６Ｂは、それぞれ本発明の第２の実施例におけるケーブルコネクタ２、ケーブル３、ケーブルコネクタ２の金属カバーシェル４を備えたケーブルコネクタ組立体１が完全に組み立てられた状態を表わす。ケーブルコネクタ組立体１の構成部品に類似又は同一の構成部品は、上述の実施例の構成部品と同一の参照符号で示されている。
【００４４】
ケーブルコネクタ２は、ケーブル３のためのケーブル入口部７を形成する２つの金属カバーシェル４，５を有している。ケーブル入口部７は、金属カバーシェル４，５の一体となった部分である。ケーブル入口部７は、以下に詳述する凹所６０を有している。金属カバーシェル４，５は、固定手段６２を収容し前記ケーブルコネクタ組立体を対応する相手部材に接続するための構造体６１を備えている。
【００４５】
図７Ａ及び図７Ｂは、図６Ａのケーブルコネクタ組立体１について異なる視点から支持部材３３の一部を表わす。支持部材３３は、２つの同一部品３３Ａを備えている。この２つの同一部品のうち１つの部品のみを図７Ａ及び図７Ｂに示す。支持部材部品３３Ａは、ケーブル３上に設けられ、図６Ａのケーブルコネクタ２に組み込まれるような構造とされている。
【００４６】
より詳しくは、支持部材部品３３Ａは半円状又はＣ字状とされ、支持部材３３を完成させるために支持部材部品３３Ａを同一対応相手部材と共に接続する接続構造部７０，７１を有している。さらに、支持部材部品３３Ａは、支持部材部品３３Ａの外面７３から離間するように延在している突起部７２を有している。突起部７２は、金属カバーシェル４，５のケーブル入口部７の凹所６０に挿入されるように適合されている。突起部７２は、折り返された遮蔽ブレード３１の先端部分（initial part）と緩衝しないようにケーブルコネクタ２の裏部近傍に設けられていることが望ましい。
【００４７】
支持部材部品３３Ａの外面７３は、ケーブル入口部７の締まりリブ１７と共に協働するように型出しされた構造部７４を有している。支持部材部品３３Ａは、ケーブル３、より詳しくはケーブル被覆３０と干渉しケーブルの屈曲解放特性（bending relief）を向上させるために、内部リブ７５を有している。
【００４８】
できる限り多くの特徴を支持部材３３内に統合することによって、他のケーブル３を終端させるためにケーブルコネクタ２の他の構成部品を改良する必要がなくなる。このような場合には、より容易に組み立てられた組立支持部材３３又は支持部材部品３３Ａのみを改良すれば良い。
【００４９】
図８Ａ〜図８Ｆは、図６Ａのケーブルコネクタ組立体１を組立の際におけるケーブル３と同一の支持部材部品３３Ａを備えた支持部材３３とを表わす。
【００５０】
図８Ａは、ケーブルコネクタ２に終端されているケーブル３を表わす。本発明によって、図８Ｂに表わすように最初にケーブルワイヤ３２を端子ブロックハウジング１３に終端することができる。その後、図８Ｃを参照すると、第１の支持部材部品３３Ａがケーブル３のケーブル被覆３０上に配置される。同一の第２の支持部材部品３３Ａが、図８Ｄに表わすように両方の部品の接続構造部７０，７１を機能させることによって、第１の支持部材部品３３Ａ上に取り付けられ、これにより支持部材３３を完成させることができる。図示された実施例では、接続構造部７０，７１は、ケーブル被覆３０上に共に手動で押される。
【００５１】
支持部材３３を完成させるためには、専用工具を必要としない。従って、ケーブルコネクタ２は金属カバーシェル４，５を取り外すことによって現場で据付又は修理可能とされる。
【００５２】
図８Ｅは、遮蔽ブレード３１が支持部材３３の一部に折り返され、支持部材３３はケーブルコネクタ２の凹所６０内に突起部７２を挿入することによって、金属カバーシェル４内に位置決めされているという、その後のステップを表わしている。突起部７２と凹所６０とが協働することによって、ケーブルの捩れ解放特性を得ることができる。構造体７４はケーブル入口部７内の締まりリブ１７の形状に適合しており、ケーブルコネクタ組立体１にケーブルの引張解放特性（pull relief）を付与することができる。
【００５３】
図８Ｆは、ケーブル入口部７の構造と支持部材３３の構造との適合を表わす。ケーブル入口部７の構造及び支持部材３３の外面７３の構造部７４が、遮蔽ブレード３１の折り返し部分がクランプされるように曲面スロット８０を決定する。曲面スロット８０によって、遮蔽ブレード３１が曲面スロット８０内で幾回か屈曲され、遮蔽ブレードが伸ばされる。従って、遮蔽ブレード３１は滑らかに延伸し、これによりケーブルコネクタ組立体１の修復可能性が高められる。さらに、曲面スロット８０内の前記遮蔽ブレードの曲面は電磁的遮蔽性能において有利であり、遮蔽ブレード３１は電磁放射のためのスロット８０を密閉することができる。
【００５４】
最後に、金属カバーシェル５は金属カバーシェル４に取り付けられ、これにより遮蔽ブレード３１の折り返し部分を金属カバーシェル４，５と２部品から成る支持部材３３との間にクランプされる。結果として、図６Ａのケーブルコネクタ組立体が完成する。
【００５５】
幾つかの部品３３Ａから成る支持部材３３を利用する特別な利点は、端子ブロックハウジング１３で前記ケーブルを終端した後に、支持部材３３がケーブル３上に配置されていることである。従って、ワイヤ３２を終端するために、より大きな空間が利用可能となる。
【００５６】
蒸気のケーブルコネクタ組立体の２つの実施例は、本発明を限定するものではないことに留意すべきである。さらには、遮蔽ブレード３１が局所的に延在可能とするために、フランジを有する支持部材３３の部品３３Ａを設けるか、又は図６Ａのケーブルコネクタ２の間隙Ｇを配置するような、ケーブルコネクタ組立体１のさらなる改良発明は本発明の技術的範囲に属することにも留意すべきである。
【図面の簡単な説明】
【００５７】
【図１Ａ】本発明における完全に組み立てられたケーブルコネクタ組立体を表わす。
【図１Ｂ】本発明の第１の実施例における断面ＩＢ−ＩＢでのケーブルコネクタの断面図である。
【図２Ａ】図１Ａ及び図１Ｂのケーブルコネクタである。
【図２Ｂ】ケーブルを組み付ける前の、本発明の一実施例におけるケーブルコネクタの詳細図である。
【図３Ａ】本発明の一実施例におけるケーブルコネクタに組み付ける準備が整ったケーブル及び支持部材を表わす。
【図３Ｂ】本発明の一実施例におけるケーブルコネクタに組み付ける準備が整ったケーブル及び支持部材を表わす。
【図３Ｃ】本発明の一実施例におけるケーブルコネクタに組み付ける準備が整ったケーブル及び支持部材を表わす。
【図３Ｄ】本発明の一実施例におけるケーブルコネクタに組み付ける準備が整ったケーブル及び支持部材を表わす。
【図３Ｅ】本発明の一実施例におけるケーブルコネクタに組み付ける準備が整ったケーブル及び支持部材を表わす。
【図３Ｆ】本発明の一実施例におけるケーブルコネクタに組み付ける準備が整ったケーブル及び支持部材を表わす。
【図３Ｇ】本発明の一実施例におけるケーブルコネクタに組み付ける準備が整ったケーブル及び支持部材を表わす。
【図４】図３Ａ〜図３Ｃのケーブル及び支持部材を組立中の、本発明の一実施例における図１Ａ及び図１Ｂのケーブルコネクタを表わす。
【図５】図３Ａ〜図３Ｃのケーブル及び支持部材を組立中の、本発明の一実施例における図１Ａ及び図１Ｂのケーブルコネクタを表わす。
【図６Ａ】本発明の第２の実施例における完全に組み立てられたケーブルコネクタ組立体を表わす。
【図６Ｂ】本発明の第２の実施例におけるケーブルコネクタ組立体の金属カバーシェルを表わす。
【図７Ａ】本発明の一実施例における図６Ａのケーブルコネクタのための支持部材を表わす。
【図７Ｂ】本発明の一実施例における図６Ａのケーブルコネクタのための支持部材を表わす。
【図８Ａ】本発明の一実施例における図６Ａのケーブルコネクタ組立体を組立中のケーブル及び支持部材を表わす。
【図８Ｂ】本発明の一実施例における図６Ａのケーブルコネクタ組立体を組立中のケーブル及び支持部材を表わす。
【図８Ｃ】本発明の一実施例における図６Ａのケーブルコネクタ組立体を組立中のケーブル及び支持部材を表わす。
【図８Ｄ】本発明の一実施例における図６Ａのケーブルコネクタ組立体を組立中のケーブル及び支持部材を表わす。
【図８Ｅ】本発明の一実施例における図６Ａのケーブルコネクタ組立体を組立中のケーブル及び支持部材を表わす。
【図８Ｆ】本発明の一実施例における図６Ａのケーブルコネクタ組立体を組立中のケーブル及び支持部材を表わす。
【符号の説明】
【００５８】
１  ケーブルコネクタ組立体
２  ケーブルコネクタ
３  ケーブル
４  金属カバーシェル
５  金属カバーシェル
７  ケーブル入口部
８  第１のクランプ要素
９  第２のクランプ要素
１０  保持バネ
１１  境界面
１２  開口部
１３  端子ブロックハウジング
１４  締まりリブ
１５  スロット
１６Ａ  ラビリンス
１６Ｂ  ラビリンス
１７  締まりリブ
１８  第１の表面
３０  ケーブル被覆
３１  遮蔽シールド
３２  コア
３３  フェルール
３４  フランジ
【図１Ａ】
2008507104.tif 000003
【図１Ｂ】
2008507104.tif 000004
【図２Ａ】
2008507104.tif 000005
【図２Ｂ】
2008507104.tif 000006
【図３Ａ】
2008507104.tif 000007
【図３Ｂ】
2008507104.tif 000008
【図３Ｃ】
2008507104.tif 000009
【図３Ｄ】
2008507104.tif 000010
【図３Ｅ】
2008507104.tif 000011
【図３Ｆ】
2008507104.tif 000012
【図３Ｇ】
2008507104.tif 000013
【図４】
2008507104.tif 000014
【図５】
2008507104.tif 000015
【図６Ａ】
2008507104.tif 000016
【図６Ｂ】
2008507104.tif 000017
【図７Ａ】
2008507104.tif 000018
【図７Ｂ】
2008507104.tif 000019
【図８Ａ】
2008507104.tif 000020
【図８Ｂ】
2008507104.tif 000021
【図８Ｃ】
2008507104.tif 000022
【図８Ｄ】
2008507104.tif 000023
【図８Ｅ】
2008507104.tif 000024
【図８Ｆ】
2008507104.tif 000025
【国際調査報告】
2008507104.tif 000026
2008507104.tif 000027
2008507104.tif 000028